(57)【要約】【課題】カメラマンにとっても、撮影状況によって周りの人にとっても、気にならないで、高寿命、低消費電力を考慮された表示手段を持つ、光学装置を提供することを目的としている。【解決手段】上記問題点を解決するために、本発明の光学装置では、被写体の撮影に関する機能及び撮影データを表示する表示器を備え、前記表示器に表示する表示メニューとして前記被写体の撮影に関する機能の設定を行う機能設定表示メニューと前記撮影データを表示する撮影データ表示メニューが表示可能であり、前記機能設定メニューは、自動消灯許可メニューであり、前記撮影データ表示メニューは、自動消灯禁止メニューである構成をとる。【選択図】      図１
2004294852.tif 000002
【特許請求の範囲】
【請求項１】
被写体の撮影に関する機能及び撮影データを表示する表示器を備え、前記表示器に表示する表示メニューとして前記被写体の撮影に関する機能の設定を行う機能設定表示メニューと前記撮影データを表示する撮影データ表示メニューが表示可能であり、前記機能設定メニューは、自動消灯許可メニューであり、前記撮影データ表示メニューは、自動消灯禁止メニューであることを特徴とする光学装置。
【発明の詳細な説明】
【０００１】
【発明の属する技術分野】
本発明は、テレビジョン撮影、等の被写体の撮影に使用される光学装置及びそれを用いた撮影装置に関する。
【０００２】
【従来の技術】
テレビジョン撮影に用いられる撮影装置は、ＴＶカメラ本体とＴＶレンズで構成され、ＴＶレンズをＴＶカメラに装着して使用する。このうちＴＶレンズはレンズ本体部とドライブユニットに大別され、レンズ本体部には撮影光学系とそれをマニュアル操作するためのマニュアルリングがある。またドライブユニットには、これらマニュアルリングを電動駆動するための、モータや制御基板、ＣＰＵが内部に格納され、外装面には電動制御を指示する各種スイッチや、操作部材が設けられている。
【０００３】
ＴＶレンズは、以前はマニュアルによるズームやアイリス操作が撮影の大半を占めていたが、最近では電動サーボによる撮影も頻繁に行われるようになり、ドライブユニットにも様々な機能が付加されている。
【０００４】
例えば任意のズーム位置を一度記憶すると、スイッチを押すことで記憶したズーム位置までモータ駆動するプリセット機能や、またこのプリセット機能をドライブユニット上の複数あるスイッチの中で、ユーザが自分の好きな位置のスイッチに自由に設定できる機能などがある。これらの様々な機能は、主として、外装面に設けたゴムキャップを外し、ディップスイッチの切り替えにより設定することで、カメラマンの撮影の幅を広げ、様々な撮影状況に応じて最適なカメラワークを実現することを可能にしていた。
【０００５】
しかし、ディッップスイッチの設定では、現在の設定状況を直感的に確認することが難しい為、図３の様にドライブユニットに液晶による表示器９を設けたものが存在し、設定状況を一目で確認また、表示器９を見ながら機能設定スイッチ１１を操作することで簡単に設定が可能なドライブユニットが、現在提案されている。
【０００６】
【発明が解決しようとする課題】
この様な、液晶などによる表示器をもつレンズでは、設定内容を見やすくするため、表示エリアを可能な限り大きくとり、屋外で使用した場合でも確認可能な強めの輝度に設定されている。
【０００７】
また、表示器９の位置は確認が容易に行える位置、すなわちカメラマンがビューファーをのぞきながら確認可能な位置、またはドライブユニットを周りから見て、確認可能な位置に配置されている。
【０００８】
この為、コンサート会場などの周りが暗い撮影状況で使用する場合、カメラマンにとってビューファーに集中したいのに、表示器９が目に付いてしまい、撮影に集中出来なかったり、コンサート会場等、暗い場所での撮影では、周囲のお客さんからも、レンズの表示器９の部分が光って目立つ為、鑑賞に集中出来ないとクレームが出るという問題があった。
【０００９】
また、カメラマンが直接操作している場合と、カメラ−レンズをクレーンの上に設置し、カメラマンは下からの操作で地上からの映像をとる場合もあり、表示器９の存在が、コンサート会場のカメラから離れた場所にいるお客さんにしか、気づかない場合もある。また、屋外の撮影では、カメラにバッテリーとＶＴＲを搭載した、ケーブルレスの撮影が一般的であるが、この様なバッテリー運用時に表示器９の輝度を明るく設定しているため、表示器９で電力を常に消費することで、撮影可能な時間が短くなってしまったり、表示器９の寿命も短くなるといった問題があった。
【００１０】
この様な問題点を鑑みて、カメラマンにとっても、撮影状況によって周りの人にとっても、気にならないで、高寿命、低消費電力を考慮された表示手段を持つ、光学装置を提供することを目的としている。
【００１１】
【課題を解決するための手段】
上記問題点を解決するために、本発明の光学装置では、
被写体の撮影に関する機能及び撮影データを表示する表示器を備え、前記表示器に表示する表示メニューとして前記被写体の撮影に関する機能の設定を行う機能設定表示メニューと前記撮影データを表示する撮影データ表示メニューが表示可能であり、前記機能設定メニューは、自動消灯許可メニューであり、前記撮影データ表示メニューは、自動消灯禁止メニューである構成をとる。
【００１２】
【発明の実施の形態】
（第１の実施例）
図２及び図３は表示器付きＴＶレンズの全景を２方向から表したものである。図２の１はレンズ本体で、内部には撮影光学系があり、外側には、フォーカス、ズーム、アイリスを手動で操作するためのマニュアルリングがある。レンズ本体１には着脱自在に取り付けられるドライブユニット２が取り付けられている。図２のドライブユニット２にはマニュアルリングを電動駆動するためのモーターや、制御基板が格納されている。図２のシーソースイッチ３はズームをサーボ駆動する時に操作するコントロール部材で、Ｔの方向あるいはＷの方向にスイッチを押し込むと、押し込み量に応じたスピードで、ズームがテレ方向、あるいはワイド方向へ変化する。図２の４はスイッチ操作に応じてカメラへ信号を送り返すリターンスイッチで、図３の５は録画のトリガーとなるＶＴＲスイッチである。これらシーソースイッチ３、リターンスイッチ４、ＶＴＲスイッチ５は、テレビ撮影に関わる最も基本的なスイッチで、ＴＶレンズの操作性を継承する観点から、ＴＶレンズの長い歴史の中でも昔から変わらずに図示した位置に配置される。
【００１３】
図３の９はドライブユニット２のカメラ側の側面に設けた液晶による表示器、図３の１０はレンズの撮影に関わる様々な機能を設定するための機能設定スイッチである。図３の１１は表示器９の表示をマニュアルでＯＮ／ＯＦＦするスイッチで、必要な時だけ表示器９を点灯、必要でない場合には、消灯をマニュアルで行うために使用される。図２の６は機能スイッチＡで、レンズを用いた撮影に関わる様々な機能の中からひとつをこの機能スイッチＡ  ６に割り当てることが可能である。
【００１４】
例えば、プリセット機能をこのスイッチに割り当てると、カメラマンはメモリースイッチ７と同時に機能スイッチＡ  ６を押すことで現在のズーム位置が記憶できる。その後ズームがいかなる位置にある場合でも、この機能スイッチＡ  ６を押すことで、ズームを記憶した位置に戻すことができる。また、図３の８は機能スイッチＢで、レンズの撮影に関わる様々な機能の中から一つをこの機能スイッチＢ  ８にも割り当てることが可能である。例えば、スイッチを押すことでズームが往復動作する機能をこのスイッチに割り当てると、カメラマンは機能スイッチＢ  ８を押し続けるとレンズは望遠端までズーミングし、深度の浅い望遠端でフォーカス合わせをした後で機能スイッチＢ  ８から手を離すと元のズーム位置に戻すことができ、ピントの合わせのアシスト機能として利用することができる。
【００１５】
以上のドライブユニットのブロック図が図１である。
【００１６】
光学系１（ここではズームに限定する）には、位置検出用ポテンショメータ１８が連結接続され、一定サンプリング周期でポテンショメータ電圧読み込み用ＡＤ変換器１７によりディジタル信号に変換後、ＣＰＵ１３に取り込まれる。また、光学系１駆動用に、モーター１６が連結されている。ズームコントロール信号にあたるシーソー３の信号は、一定サンプリング周期でシーソー電圧読み込み用ＡＤ変換器１９によりディジタル信号に変換された後、ＣＵＰ１３に取り込まれる。ＣＰＵ１３はシーソー３と位置検出用ポテンショメータ１８の信号より、コントロール信号を作成し、一定サンプリング周期ごとにＤＡコンバーター１４のデータを更新する。ＤＡコンバーター１４でアナログ信号に変換されたアナログ信号により、モーター駆動ドライバー回路１５を通してモーター１６の制御を行う。リターンスイッチ４、ＶＴＲスイッチ５、機能スイッチＡ  ６、機能スイッチＢ  ８、ＭＥＭＯスイッチ  ７、機能設定スイッチ１０、表示器ＯＮ／ＯＦＦスイッチ１１はＣＰＵ１３に接続されておりその接点情報がＣＰＵ１３に取り込まれる。９表示器は、２４表示器ドライバー回路を通して、ＣＰＵ１３によって、コントロールされる。ＲＯＭ２０、ＲＡＭ２１、Ｅ２ＰＲＯＭ２３もＣＰＵ１３に接続されており、ＲＡＭ２１には、表示器自動消灯用カウンター２２が存在する。Ｅ２ＰＲＯＭ２３は、設定変更データを記憶するものである。また、ＲＯＭ２０には、自動消灯許可／禁止メニューに関するデータテーブルが存在する。
【００１７】
図４のおよび図５は表示器９と機能設定スイッチ１０を拡大して表したものである。図４  ９ａはドライブユニットの各スイッチにどの機能が割り当てられているかというスイッチ設定確認メニューの例である。機能スイッチＡ  ６は図４中のＦＵＮＣ  Ａ、機能スイッチＢ  ８は図４中ＦＵＮＣ  Ｂに相当し、それぞれプリセット機能（Ｐｒｅｓｅｔ）と往復動作機能（Ｓｈｕｔｔｌｅ）が割り当てられている。ＶＴＲスイッチ５とリターンスイッチ４にも機能の割り当てが可能であり、ここではスイッチ本来の機能のＲＥＴ，ＶＴＲが設定されている。ユーザはこの画面を見て、現在のレンズの設定状況を確認することができる。ここでの表示メニューの機能は設定内容の確認である。
【００１８】
機能を各スイッチに割り当てるには、図５に示した機能設定スイッチ１０で行う。機能設定スイッチ１０は図中１０ａから１０ｄの４つの矢印キーとひとつのセットキー１０ｅで構成され、表示器９に表示される階層メニューに沿って、１０ａから１０ｄの４つの矢印キーでカーソルを移動して、複数ある機能の中から一つを選択し、セットキー１０ｅで確定する。図６の９ｂは表示器９で図４の９ａから設定変更を行った場合の内容を表したものである。機能設定スイッチ１０を用い、スイッチの誤操作防止を目的に、機能スイッチＡ  ６及び機能スイッチＢ  ８に、機能を何も割り当てない時の設定に変更した（ＯＦＦ）ことを表している。ここでの表示メニューの機能は、設定を選択し、設定変更内容の確認である。この９ａ，９ｂの様に設定、確認を扱う項目については、その目的が完了すれば表示の必要がなくなる為、自動消灯できることが望ましく、自動消灯許可メニューとする。
【００１９】
図７の９ｃは表示器９を用いて、電動ズームの時に操作するシーソースイッチ３の特性を設定するメニューの表示画面を表している。電動ズームはシーソースイッチ３の押し込み量に応じてズームスピードが変化し、押し込み量を最大にするとズームスピードは最高速でズームする一方、押し込み量を小さい時にはスローでズームする。この時の押し込み量とズーム速度の関係をカメラマンは表示器９と機能設定スイッチ１０を用いて任意に設定することができる。図７の表示画面において、横軸はシーソースイッチ３の押し込み量、縦軸はズーム速度を表し、シーソースイッチの押し込み量とズーム速度の代表的な３つの関係をそれぞれ２５ａ、２５ｂ、２５ｃの曲線で表示している。この中で２５ａはズームのスロー特性を重視した設定で、シーソースイッチを操作すると緩やかにズームし始めると同時に、低速域ではシーソースイッチを操作しても速度の変化量が少ないので、微妙ないスロー速度の設定が容易に行うことができる。一方２５ｃはズームの高速特性を重視した設定で、シーソースイッチを操作すると急激に動作するが、高速域でのスピード設定を容易に行うことが出来る。２５ｂは２５ａと２５ｃの中間の設定である。２５ｄはズーム特性を設定する数値を入力するエリアで、２５ａの特性を１、２５ｂの特性を５、２５ｃの特性を１０とした時、カメラマンは１から１０までの１０通りの数字の中から機能設定スイッチ１０ａ及び１０ｃを用いて所望の数値を選択し、１０ｅの確定キーを押すことでカメラマンが好みのズーム特性に確定する。
【００２０】
このメニューも設定項目であり、自動的に消灯されることが好ましく、自動消灯許可メニューとする。
【００２１】
図８の９ｄは、自動消灯時間設定メニューの表示自動消灯時間設定表示画面を表したものである。ここでは、前述の自動的に表示画面の消灯を行う場合の設定を行うものである。自動消灯の有効（ＳＥＴ）、無効（ＯＦＦ）の設定と自動消灯時間の設定を行う。設定されたデータは、Ｅ２ＰＲＯＭ２３にメモリーされ、自動消灯が有効設定（ＳＥＴ）にされた場合、自動消灯時間設定により、自動消灯までの時間を好み合わせて変更が可能になる。９ｄでは３０秒後に自動消灯する設定であることを示している。このメニューも、設定に関するものであり、自動消灯許可メニューとなる。
【００２２】
９ａ，９ｂ，９ｃ，９ｄの様な設定メニューの例とは異なり、図９の９ｅは、ＩＲＩＳ，ＺＯＯＭ，ＦＯＣＵＳのポジションデータの表示をあらわすメニューで、フォローデータ表示画面である。この表示は、ＩＲＩＳ、ＺＯＯＭ，ＦＯＣＵＳの位置が数値として表示され、レンズが動作することで数値が変化する。この機能の場合、意図的に現在のレンズフォロー確認用として常時表示を行いたいものであり、自動消灯しては、困る内容である。そこで、自動消灯禁止メニューとする。
【００２３】
９ａ，９ｂ，９ｃ，９ｄ，９ｅであげた自動消灯許可、禁止メニューについては、図１のＲＯＭ２０に図１０の様なデータテーブルを持ち、このデータテーブルを用いて自動的に自動消灯、消灯禁止の判断を行う。図１０の０ｘ０１が自動消灯許可メニュー、０ｘ００が禁止メニューとなる。（０ｘ００，０ｘ０１は１６進表示の０、１を表す。）
図１１は表示器９の点灯消灯に関する通常動作時のフローチャートである。
まず、表示器９が点灯しているかどうかをチェックする（Ｓ１）。このチェック後消灯中の場合は表示器ＯＮ／ＯＦＦスイッチ１１をチェックする（Ｓ２）。表示器ＯＮ／ＯＦＦスイッチ１１が押されていない場合は再び、最初（Ｓ１）に戻り表示器の点灯状態のチェックへ戻る。Ｓ２で表示器ＯＮ／ＯＦＦスイッチ１１が押された場合は、表示器９を点灯させ（Ｓ３）、図１の表示器消灯用のタイマーカウンター２２をクリア、タイマーカウントＵＰを禁止し、消灯に関する初期化を行う（Ｓ４）。Ｓ４の次には、表示器の自動消灯が許可されているかのチェックを行う（Ｓ５）。自動消灯が許可されていない場合は、Ｓ１に戻り、消灯から点灯の場合はＳ２→Ｓ３で点灯、点灯から消灯の場合は、Ｓ１１→Ｓ１０で消灯となり、表示器ＯＮ／ＯＦＦスイッチ１１でのみ、点灯消灯の動作が行える。Ｓ５で自動消灯が許可されている場合、現在の表示メニューが自動消灯許可されていかどうかをＲＯＭ２０にある図１０に示すデータテーブルによりチェックを行う（Ｓ６）。自動消灯が許可されないメニューとしては、レンズのフォロー表示させる図９の９ｅがある。この場合、Ｓ５での表示器９の自動消灯が許可されているかチェックで、許可されていない場合と同じく、表示器ＯＮ／ＯＦＦスイッチ１１でのみ、点灯消灯の動作が行える。自動消灯が許可されたメニューの場合は、消灯タイマーカウントの許可を行う（Ｓ７）。消灯タイマーカウントが許可されると、タイマーカウンターの割り込み処理が許可され、タイマーカウントの割り込み処理により、図１の表示器自動消灯用カウンター２２が一定周期で自動的にカウントＵＰされる。次に、図１の機能設定スイッチ１０操作の有無をチェックし（Ｓ８）、キー操作がない場合は、消灯設定時間と、消灯タイマーカウンターの時間を比較する（Ｓ９）。消灯設定時間より、消灯タイマーカウンター値が小さい場合は、図１の表示器ＯＮ／ＯＦスイッチ１１が押されたかをチェックし（Ｓ１１）、押されていない場合は、自動消灯許可チェックへ戻り、Ｓ５からＳ９動作を繰り返す。
【００２４】
Ｓ９で消灯設定時間より、消灯タイマーカウンター値が大きくなると、消灯動作をおこなう（Ｓ１０）。
【００２５】
これにより、マニュアル、自動による消灯が可能になる。
【００２６】
本実施例では、単純に消灯のみを行ったが、消灯直前に警告メッセージを表示し、一定時間経過後、表示画面をフラッシングさせてから消灯させても良い。
【００２７】
［本発明の実施態様］
本発明の様々な例と実施形態が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【００２８】
本発明の実施態様の例を以下に列挙する。
【００２９】
［実施態様１］
被写体の撮影に関する機能及び撮影データを表示する表示器を備え、前記表示器に表示する表示メニューとして前記被写体の撮影に関する機能の設定を行う機能設定表示メニューと前記撮影データを表示する撮影データ表示メニューが表示可能であり、前記機能設定メニューは、自動消灯許可メニューであり、前記撮影データ表示メニューは、自動消灯禁止メニューであることを特徴とする光学装置。
【００３０】
「実施態様２」
更に、前記表示器に表示された前記機能設定表示メニューの前記被写体の撮影に関する機能の設定を行う機能設定手段を有する実施態様１記載の光学装置。
【００３１】
「実施態様３」
更に、前記表示器の表示メニューをマニュアルで点灯又は消灯させるマニュアル操作手段を有する実施態様１又は実施態様２記載の光学装置。
【００３２】
「実施態様４」
更に、前記機能設定手段は、前記機能設定表示メニューの自動消灯許可を自動消灯禁止に可変できる機能を有する実施態様１〜３のいづれか一項記載の光学装置。
【００３３】
「実施態様５」
前記機能設定メニューの自動消灯する時間設定は変更可能である実施態様１〜４のいづれか一項記載の光学装置。
【００３４】
「実施態様６」
実施態様１〜５のいづれか一項記載の光学装置は、カメラ装置に接続されたレンズ装置である光学装置。
【００３５】
「実施態様７」
実施態様６記載のレンズ装置と、前記レンズ装置に接続された前記カメラ装置を備えた撮影装置。
【００３６】
【発明の効果】
以上説明したように、機能設定メニューを自動消灯許可メニューとすることにより、表示器表示を必要最小限に抑えること可能となる。これにより、レンズの表示器が気になり、カメラマンが撮影に集中出来ない問題、コンサート会場等、暗い場所での撮影で、周囲のお客さんが鑑賞に集中出来ないといった問題を解消できる。さらには表示器への通電時間を短く抑えることで、表示器の寿命を延ばしたり、カメラのバッテリー運用時の電力消費を抑え、撮影時間を延ばす事が可能となる。
【図面の簡単な説明】
【図１】本発明のブロック図
【図２】レンズ外観図（１／２）
【図３】レンズ外観図  （２／２）
【図４】表示器メニュー  スイッチ設定確認図
【図５】機能設定スイッチ外観図
【図６】表示器メニュー  スイッチ設定図
【図７】表示器メニュー  ズームカーブ設定図
【図８】表示器メニュー  自動消灯時間設定図
【図９】表示器メニュー  フォロー確認図
【図１０】表示器自動点灯許可、禁止メニューデータテーブル
【図１１】表示器消灯点灯フローチャート
【符号の説明】
１  レンズ本体
２  ドライブユニット
３  シーソースイッチ
４  リターンスイッチ
５  ＶＴＲスイッチ
６  機能スイッチＡ
７  ＭＥＭＯスイッチ
８  機能スイッチＢ
９  表示器
９ａ  スイッチ設定確認表示画面
９ｂ  スイッチ設定表示画面
９ｃ  ズームカーブ設定表示画面
９ｄ  自動消灯時間設定表示画面
９ｅ  フォローデータ表示画面
１０  機能設定スイッチ
１１  表示器ＯＮ／ＯＦＦスイッチ
１２  カメラ
１３  ＣＰＵ
１４  モーターコントロール用ＤＡコンバータ
１５  モーター用ドライバー回路
１６  モーター
１７  ポテンショメータ電圧読み込み用ＡＤコンバータ
１８  ポテンショメータ
１９  シーソー電圧読み込み用ＡＤコンバータ
２０  ＲＯＭ
２１  ＲＡＭ
２２  表示器自動消灯用カウンター
２３Ｅ２ＰＲＯＭ
２４  表示器用ドライバー回路
２５ａ  ズームのスロー特性
２５ｂ  ズーム中間特性
２５ｃ  ズームの高速特性
２５ｄ  ズーム選択特性番号
【図１】
2004294852.tif 000003
【図２】
2004294852.tif 000004
【図３】
2004294852.tif 000005
【図４】
2004294852.tif 000006
【図５】
2004294852.tif 000007
【図６】
2004294852.tif 000008
【図７】
2004294852.tif 000009
【図８】
2004294852.tif 000010
【図９】
2004294852.tif 000011
【図１０】
2004294852.tif 000012
【図１１】
2004294852.tif 000013